(57)【要約】【課題】  写実性に富み、リアル感に溢れ、重量感、質感も良好なものとし、また成形時におけるバリ等の発生も少なく、外部からの外力、衝撃等によっても凹むこともなく、保形性に優れ、取り扱いも容易であるようにする。【解決手段】  底部側を開口した凹所２を備え、対状の連繋孔３を頂部に開穿形成して外形が蜜柑状を呈する飾り果実本体１と、連繋孔３に跨って飾り果実本体１内に挿入した連繋柱部２１の挿入分岐脚２２部分を溶融することで飾り果実本体１内周面と一体化する柄体２０と、飾り果実本体１の凹所２における開口部に嵌め合わせる蓋部材１０とから成る。柄体２０は、分岐部が連繋孔３相互の区域に当接するよう二股状に分岐した挿入分岐脚２２を備えた連繋柱部２１と、この連繋柱部２１の途中位置で突出形成した１枚あるいは複数枚の葉部２３とを一体状に形成して成る。【選択図】      図１
2006246935.tif 000002
【特許請求の範囲】
【請求項１】
底部側が開口されている凹所を備えると共に、複数の相互に近接した連繋孔を頂部に開穿形成した飾り果実本体と、複数の連繋孔に跨って挿入され、飾り果実本体内に挿入された挿入部分が溶融されることで飾り果実本体内周面で飾り果実本体と一体化する柄体と、飾り果実本体の凹所における開口部に嵌め入れられる蓋部材とから成ることを特徴とする飾り用模擬果実。
【請求項２】
柄体は、複数の連繋孔に跨って挿入され、その挿入部分が飾り果実本体内部で溶融されると共に、複数に分岐された挿入分岐脚を備えた棒ピン状の連繋柱部と、この連繋柱部の途中位置で葉状に突出形成された１枚あるいは複数枚の葉部とを一体状に形成して成る請求項１に記載の飾り用模擬果実。
【請求項３】
飾り果実本体の連繋孔は相互に近接した対状にして配置され、柄体の連繋柱部は連繋孔夫々に挿入されることで飾り果実本体内への挿入が規制されるよう二股状に分岐された挿入分岐脚を有している請求項１または２に記載の飾り用模擬果実。
【請求項４】
蓋部材は、凹所の開口縁部に形成した段部に嵌め合うようにした嵌合フランジを有すると共に、凹所の内周縁面に形成した嵌合溝条部あるいは嵌合突条部に係合する嵌合突条部あるいは嵌合溝条部を形成してある請求項１乃至３のいずれかに記載の飾り用模擬果実。
【請求項５】
飾り果実本体はインジェクション成形によって形成してある請求項１乃至４のいずれかに記載の飾り用模擬果実。
【発明の詳細な説明】
【技術分野】
【０００１】
本発明は例えば正月、祝い事その他の祭事に際し飾り付けられるよう例えばお供え餅の上部に置かれる飾り用の蜜柑の如き飾り果実を模した飾り用模擬果実に関する。
【背景技術】
【０００２】
従来から正月や祝い事等に際し、飾り重ね餅が用いられており、その飾りには大小の円形状のお供え餅を２段に重ね、その上に蜜柑等の果実を飾りに置いている。その飾りのための果実代用品として例えば特許第３０１０２８６号に係る飾り果実が提案されており、これは合成樹脂製の中空な果実本体の頂部に挿入孔を設けておき、蔕状の挿入規制部を有する柄をその上側の摘持部によって摘んで挿入孔に挿入したもので、挿入規制部によって挿入孔内への必要以上の挿入が規制され、あたかも実際の飾り果実様の趣を呈するようになる。
【０００３】
更には特開２００４−３４５３５号公報に係る飾り用模擬果実及びその製造方法が提案されており、これは底部に開口がある凹所を備えた中実状の飾り果実本体と、凹所の開口を強制的に閉塞する有底筒状の蓋部材と、飾り果実本体の頂部に突設形成した連繋突体に被せられる柄体とを備えて成り、また底部に開口がある凹所を備えた中実状の飾り果実本体を射出成形によって形成する一方、凹所内に嵌め入れられるよう射出成形によって形成した有底筒状の蓋部材を熱収縮前の飾り果実本体の凹所内に強制的に嵌め入れ、また、飾り果実本体の頂部に突設形成した連繋突体に柄体を被せることで製造するとする。
【特許文献１】特許第３０１０２８６号公報
【特許文献２】特開２００４−３４５３５号公報
【発明の開示】
【発明が解決しようとする課題】
【０００４】
ただこれらの従来提案の飾り果実は、特許文献１によれば実際上はブロー成形によって果実本体を形成するために内部が中空で、軽量に形成されるから重量感がなく、見た目にも質感が乏しくなる。そればかりでなく、ブロー成形特有の金型の合わせ面で生じるいわゆるバリのために若干の不体裁な感じがあり、またそのバリが取り扱う者の手指等を傷つけることもあり、危険なものであった。しかも果実本体自体は中空であるために外部からの外力、衝撃等によっては部分的に凹むような潰れが生じることもあり、軽量であるが故にお供え餅等の上に置いた飾り時に簡単に落下してしまうこともあった。更には柄自体は果実本体の挿入孔に挿入するに際し、必要以上の挿入は挿入規制部によって阻止はされても、挿入後の柄の握持部を摘んで取り扱う場合に、柄を強く引いたときには果実本体から抜けることもあった。
【０００５】
また特許文献２によれば、基本的にはインジェクション成形によって構成するから特許文献１におけるような欠点は解消できても、果実本体、蓋部材等を形成する成形材料がやや多くなり、僅かでも若干割高になるものであった。
【０００６】
そこで本発明は叙上のような従来存した諸事情に鑑み創出されたもので、写実性に富むようリアル感に溢れ、重量感、質感も良好なものとし、また成形時におけるバリ等の発生も少なく、外部からの外力、衝撃等によっても凹むこともなく、保形性に優れると共に、成形材料が少なくて済み、取り扱いも容易である飾り用模擬果実を提供することを目的とする。
【課題を解決するための手段】
【０００７】
上述した課題を解決するため、本発明にあっては、底部側が開口されている凹所２を備えると共に、複数の相互に近接した連繋孔３を頂部に開穿形成した飾り果実本体１と、複数の連繋孔３に跨って挿入され、飾り果実本体１内に挿入された挿入部分が溶融されることで飾り果実本体１内周面で飾り果実本体１と一体化する柄体２０と、飾り果実本体１の凹所２における開口部に嵌め入れられる蓋部材１０とから成ることを特徴とする。
柄体２０は、複数の連繋孔３に跨って挿入され、その挿入部分が飾り果実本体１内部で溶融されると共に、複数に分岐された挿入分岐脚２２を備えた棒ピン状の連繋柱部２１と、この連繋柱部２１の途中位置で葉状に突出形成された１枚あるいは複数枚の葉部２３とを一体状に形成して成るものとすることができる。
飾り果実本体１の連繋孔３は相互に近接した対状にして配置され、柄体２０の連繋柱部２１は連繋孔３夫々に挿入されることで飾り果実本体１内への挿入が規制されるよう二股状に分岐された挿入分岐脚２２を有して構成することができる。
蓋部材１０は、凹所２の開口縁部に形成した段部２Ａに嵌め合うようにした嵌合フランジ１１を有すると共に、凹所２の内周縁面に形成した嵌合溝条部２Ｂあるいは嵌合突条部１２に係合する嵌合突条部１２あるいは嵌合溝条部２Ｂを形成して構成することができる。
飾り果実本体１はインジェクション成形によって形成することができる。
【０００８】
以上のように構成された本発明に係る飾り用模擬果実にあって、飾り果実本体１の凹所２の開口に対する蓋部材１０による閉塞は、重量感、質感等に富む模擬果実を実現させ、飾り果実本体１の連繋孔３に対する柄体２０の挿入、一体化で模擬果実の一層の写実性を増大させる。
飾り果実本体１の対状の連繋孔３に対する柄体２０の連繋柱部２１における分岐された挿入分岐脚２２の連繋孔３に対する跨った挿入は、連繋孔３を隔てる区域に挿入分岐脚２２の分岐部位が当接し、飾り果実本体１内への柄体２０の必要以上の挿入を規制して、組立結合状態を一定化させる。
また飾り果実本体１の連繋孔３への柄体２０の連繋柱部２１の挿入、挿入部分の飾り果実本体１内での溶融、飾り果実本体１との一体化で、飾り果実本体１の一層の写実性を増大させ、また飾り果実本体１に対して柄体２０をしっかりと連繋固定して一体化させ、柄体２０のみの摘み操作でも飾り果実本体１から分離させない。
蓋部材１０の嵌合フランジ１１は凹所２の開口部にある段部２Ａに嵌め合うことで、蓋部材１０の凹所２内への必要以上の嵌め合いを阻止し、また嵌合突条部１２あるいは嵌合溝条部２Ｂが、嵌合溝条部２Ｂあるいは嵌合突条部１２に係合することで、飾り果実本体１からの蓋部材１０の離脱、分離・解体を阻止させる。
【発明の効果】
【０００９】
本発明は以上のように構成されているため、中実構造の飾り果実本体１に対する蓋部材１０による閉塞一体化で、写実性に富むようリアル感に溢れ、重量感、質感も良好なものとすることができる。また成形時におけるバリ等の発生も少なく、外部からの外力、衝撃等によっても飾り果実本体１自体が凹むこともなく、保形性に優れると共に、飾り果実本体１に対する柄体２０の溶融一体化の確実な固定によって取り扱いも容易である等の優れた効果を奏する。
【００１０】
すなわちこれは本発明において、底部側が開口されている凹所２を備えると共に、複数の相互に近接した連繋孔３を頂部に開穿形成した飾り果実本体１と、複数の連繋孔３に跨って挿入され、飾り果実本体１内に挿入された挿入部分が溶融されることで飾り果実本体１内周面で飾り果実本体１と一体化する柄体２０と、飾り果実本体１の凹所２における開口部に嵌め入れられる蓋部材１０とから成るものとしたからであり、従来のブロー成形による中空状の果実本体の軽量印象に比し、インジェクション成形法によることで一層の重量感・質感等に富んだものとできると共に、破損しがたく、取り扱いの容易性等を得ることができる。
【００１１】
また柄体２０は、これの連繋柱部２１の挿入分岐脚２２が対状の連繋孔３に跨って挿入されることで飾り果実本体１内への挿入が規制されるよう二股状に分岐された挿入分岐脚２２を有しているから、挿入分岐脚２２の分岐部が連繋孔３相互間の区域に当接することになる。そのため、飾り果実本体１内に柄体２０が必要以上に挿入されるのを規制し、挿入組立状態では飾り果実本体１に対する柄体２０の突出長さ、柄体２０位置を常時一定にし、一定の形態となすことができる。
【００１２】
更に柄体２０の連繋柱部２１の挿入分岐脚２２が、飾り果実本体１内に挿入された後に、飾り果実本体１内部で溶融される棒ピン状に形成してあるから、連繋柱部２１における挿入分岐脚２２の飾り果実本体１内での溶融、飾り果実本体１との一体化で、飾り果実本体１の一層の写実性を増大させる。そればかりでなく、飾り果実本体１に対して柄体２０をしっかりと、すなわち挿入分岐脚２２の分岐部が飾り果実本体１の外側の連繋孔３相互間の区域に当接し、また飾り果実本体１の内側の連繋孔３周縁で溶融一体化されることで飾り果実本体１壁部分を内外で挟み込むようになった連繋固定状態となり、このように固定一体化されることにより、柄体２０のみを摘み、また取り扱いが粗雑であっても、この柄体２０が飾り果実本体１から分離されることは全くない。
【００１３】
嵌合フランジ１１、嵌合突条部１２あるいは嵌合溝条部２Ｂを備えた蓋部材１０は、嵌合フランジ１１が飾り果実本体１の凹所２の開口部にある段部２Ａに嵌め合うものとなることで蓋部材１０の凹所２内への必要以上の嵌め合いを阻止するから、飾り果実本体１に対する蓋部材１０の嵌め合い体裁を良好にすることができる。また嵌合突条部１２あるいは嵌合溝条部２Ｂが、凹所２の嵌合溝条部２Ｂあるいは嵌合突条部１２に係合することで、飾り果実本体１と蓋部材１０との一体結合性を一層確実にし、飾り果実本体１からの蓋部材１０の離脱、分離・解体を阻止させることができる。
【００１４】
しかも、飾り果実本体１と柄体２０との一体化は、柄体２０を飾り果実本体１に結合した後は、柄体２０に形成してある葉部２３によって模擬果実の一層の写実性を富ましめるものとなり、例えばお供え餅Ｒの頂部に置いても何らの遜色もなく、実際の果実が置かれた印象を与える。
【００１５】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１６】
以下図面を参照して本発明を実施するための最良の一形態を説明すると、図において示される符号１は底部側が開口されている凹所２を備えることで例えばインジェクション成形等による射出成形によって形成される外形が例えば蜜柑状を呈する飾り果実本体である。この飾り果実本体１は、実際上の例えば蜜柑表面における細かい凹凸模様が付されて、表面は蜜柑色を呈するように着色されており、必要に応じて例えば頂部及びその近傍等が部分的に緑色が付されることもある。また成型時に生じ得る金型ラインのバリ等は例えば切削等によって除去されている。
【００１７】
この飾り果実本体１における凹所２は例えば飾り果実本体１の外径に比し、小さくした例えば外径の約１／２程度の内径を有する開口を備えた筒状空間となっており、その深さは例えば飾り果実本体１の高さに比し、これの頂部における肉厚に相当する分で低くなった程度のものとされている。もとより、図示における飾り果実本体１の頂部における肉厚が薄肉状でなく、やや厚肉状に形成されていることもあり、それに対応した内形高さとされる。そして、この凹所２を除いた飾り果実本体１全体は形成素材の例えばポリエチレン樹脂の如き合成樹脂によって中実状に、また飾り果実本体１の周縁部分を肉厚とすることで形成されていて、形成素材自体の重量によった質感も得られるものとしてある。また凹所２の開口部は、後述する蓋部材１０がやや強制的にでも嵌め入れられ、開口部をきっちり閉塞できるように蓋部材１０の外径に比しやや小径となるようにしたり、あるいは開口部径に比し凹所２本体部分の内径がやや小径となるようにしたりしてある。
【００１８】
また凹所２の開口部に嵌め入れられる蓋部材１０が飾り果実本体１とは別に飾り果実本体１と同効材にて形成されている。この蓋部材１０は凹所２の内径に比しやや大きくした外径を備えた筒状部に底部を一体状にした扁平な有底筒状に形成されている。そして底部分自体は凹所２に嵌め合わされたときには、飾り果実本体１の外周側面と蓋部材１０の外側面とは連続する一つの外周面を形成するようにしてある。なお蓋部材１０における底部分の外周側面は、本発明に係る飾り用模擬果実自体が置かれる例えばお供え餅Ｒ上面の湾曲面に対応するように僅かに内方に窪ませて形成することができる。
【００１９】
図示にあって、蓋部材１０は、飾り果実本体１における凹所２の開口縁部に形成した段部２Ａに嵌め合うようにした嵌合フランジ１１を有すると共に、凹所２の内周縁面に形成した嵌合溝条部２Ｂに係合する嵌合突条部１２を形成してある。嵌合フランジ１１は段部２Ａ内にしっくり嵌り合うように、段部２Ａ高さに対応した肉厚を備え、段部２Ａの内径に対応した外径を備えている。また、図示を省略したが、嵌合溝条部２Ｂと嵌合突条部１２との嵌合は、いずれが溝条部、突条部となっていてもよいから、凹所２の内周縁面に嵌合突条部１２を、蓋部材１０の筒状部外側面に嵌合溝条部２Ｂを夫々形成したものでもよい。
【００２０】
この蓋部材１０と飾り果実本体１との一体化は、強制的な嵌め合わせによる場合に限らず、接着剤によって接着されることでもよく、更には凹所２の開口部内縁と蓋部材１０の外縁との間に相互に噛み合うような凹凸部分を形成しておいてもよい。
【００２１】
更に飾り果実本体１の頂部には、後述する柄体２０を連繋する複数の相互に近接した連繋孔３を開穿形成してあり、複数の連繋孔３に跨って柄体２０を挿入し、飾り果実本体１内に挿入された柄体２０部分を溶融し、フランジ状に扁平化させて飾り果実本体１内周面と一体化する（焼き止め）ことで柄体２０を飾り果実本体１に結合してある。
【００２２】
そのため、柄体２０は、複数の連繋孔３に跨って挿入され、その挿入部分が飾り果実本体１内部で溶融されると共に、複数に分岐された挿入分岐脚２２を備えた棒ピン状で、実際上の柄に相当する連繋柱部２１と、この連繋柱部２１の途中位置で葉状に突出形成され、実際上の葉に相当する１枚あるいは複数枚の葉部２３とを一体状に形成して成る。図示にあって、飾り果実本体１の連繋孔３は相互に近接した対状にして配置してあり、これに対応して、柄体２０の連繋柱部２１は連繋孔３夫々に挿入されることで飾り果実本体１内への挿入が規制されるよう二股状に分岐された挿入分岐脚２２を有しており、連繋孔３相互間の、飾り果実本体１の壁部分区域の外側面に挿入分岐脚２２の分岐部位が当接するようにしてある。
【００２３】
尚、場合によっては葉部２３における連繋柱部２１からの分岐部位下部側に実際上の蔕に相当する扁平状あるいは山裾状に拡がる蔕部２４を一体状に付設形成することもあり、更にこの蔕部２４は飾り果実本体１の連繋孔３の周縁部分に飾り果実本体１と一体状にして形成することも可能である。この柄体２０自体は、実際上の柄、葉更には蔕等を模したように例えば緑色を呈する合成樹脂材にて一体に形成されている。また、この蔕部２４によって、連繋孔３を隠蔽し、体裁を良好なものとすることができる。
【００２４】
また、この柄体２０を飾り果実本体１に結合するには、柄体２０の連繋柱部２１における挿入分岐脚２２を飾り果実本体１の外側から複数の連繋孔３に跨って飾り果実本体１内に挿入し、飾り果実本体１内に挿入された挿入分岐脚２２の挿入部分を飾り果実本体１内で加熱溶融して、図２に示すように半ばフランジ状に圧潰するようにして連繋孔３の周縁部分と一体化することで行う。こうすることで、飾り果実本体１壁部分を内外で挟み込むようになった連繋固定状態とさせて固定一体化させるようにしている。
【００２５】
次にこれの組立の一例及びその使用を説明すると、射出成形によって形成された熱収縮前の飾り果実本体１の対状の連繋孔３に柄体２０における連繋柱部２１の挿入連繋部分２２を跨るようにして挿入し、挿入分岐脚２２の分岐部位を連繋孔３相互間の壁区域に当接させる。次いで挿入分岐脚２２の挿入部分を飾り果実本体１内で溶融して、好ましくは周縁にフランジ状に伸ばした状態で飾り果実本体１と一体化する。その後、飾り果実本体１と同様に別に射出成形された蓋部材１０を凹所２の開口部に嵌め込み、嵌合フランジ１１を段部２Ａに嵌め合わせ、また嵌合突条部１２を嵌合溝条部２Ｂに係合することで一体化する。そしてその使用は図２に示すように、例えば２段重ねのお供え餅Ｒの頂部に置くのであり、飾り果実本体１の底面となる蓋部材１０によって、場合によってはこの蓋部材１０に形成した湾曲凹み部分を利用することでお供え餅Ｒ上から転がり落ちることなく、安定した状態で置いておくことを可能にする。
【００２６】
尚、お供え餅Ｒは餅材によって形成されたものであったり、外観をお供え餅形とした容器内に切り餅、更には容器内形に沿った餅材等を封入したものであったりし、いずれもそれは任意に選定できる。
【００２７】
また、柄体２０の飾り果実本体１に対する結合一体化は、柄体２０における連繋柱部２１の挿入分岐脚２２を飾り果実本体１内部で溶融一体化するものとして説明したが、場合によっては挿入分岐脚２２下端に、連繋孔３には強制的に挿入可能で挿入後は連繋孔３周縁に係止するような、例えば断面でレ字形状の係止突部を設けることで、溶融一体化作業を省略することも可能である。
【図面の簡単な説明】
【００２８】
【図１】本発明を実施するための最良の形態を示す一部切欠の分解斜視図である。
【図２】同じく使用状態における断面図である。
【符号の説明】
【００２９】
Ｒ…お供え餅
１…飾り果実本体                        ２…凹所
２Ａ…段部                              ２Ｂ…嵌合溝条部
３…連繋孔
１０…蓋部材                            １１…嵌合フランジ
１２…嵌合突条部
２０…柄体                              ２１…連繋柱部
２２…挿入分岐脚                        ２３…葉部
２４…蔕部
【図１】
2006246935.tif 000003
【図２】
2006246935.tif 000004